(57)【要約】【課題】窓のカーテンの開閉時の障害になることがなく、しかも内観を損なうことがない建具の提供。【解決手段】窓枠と、窓枠に障子支持装置２１を介して開閉作動可能に取り付けられた障子１６と、上記障子支持装置２１を作動させて上記障子１６を窓枠に対して揺動させて開閉させる開閉駆動装置２２と、開閉駆動装置２２を操作する操作ハンドル３３とを備えた建具において、上記操作ハンドルを除く開閉駆動装置２２は、上記窓枠の縦枠３又は横枠２の内部に組み込まれている。【選択図】図１
2006052531.tif 000002
【特許請求の範囲】
【請求項１】
窓枠と、窓枠に障子支持装置を介して開閉作動可能に取り付けられた障子と、上記障子支持装置を作動させて上記障子を窓枠に対して揺動させて開閉させる開閉駆動装置と、開閉駆動装置を操作するハンドルとを備えた建具において、上記ハンドルを除く開閉駆動装置は、上記窓枠の縦枠又は横枠の内部に組み込まれていることを特徴とする建具。
【請求項２】
前記開閉駆動装置が組み込まれる窓枠の縦枠又は横枠は、前記開閉駆動装置を固定する枠本体と、上記開閉駆動装置を覆うカバー部材とからなる、請求項1記載の建具。
【請求項３】
前記枠本体は金属製で、カバー部材は合成樹脂製であることを特徴とする、請求項１〜３のいずれかに記載の建具。
【請求項４】
前記開閉駆動装置は窓枠の縦枠又は横枠の室内側に張り出す張出部に組み込まれるとともに、上記張り出し部は、合成樹脂製の部材からなることを特徴とする、請求項1又は2に記載の建具。
【請求項５】
前記開閉駆動装置を操作するハンドルは、前記窓枠に重なるように折り畳み可能に設けられていることを特徴とする、請求項１〜４のいずれかに記載の建具。
【発明の詳細な説明】
【技術分野】
【０００１】
本発明は、窓枠に障子支持装置を介して取り付けられた障子を、上記障子支持装置を駆動して開閉作動させる建具に関するものである。
【背景技術】
【０００２】
一般に、縦辷り出し窓あるいは横辷り出し窓は、フリクションステーという障子支持装置を介して窓枠に取り付けられた障子を、窓枠から縦又は横に辷り出すようにして開き作動させるものであるが、上記障子を開閉作動させるときは、上記障子支持装置を駆動する駆動機構をハンドルで回転し、駆動機構から直接に障子支持装置を作動させ、あるいは駆動機構と障子支持装置と協働して障子を辷り出させることによって行なっている。
【０００３】
障子支持装置は障子の閉止時には障子の上下にそれぞれ配置されているが、開閉駆動機構や操作用ハンドルは、窓枠の室内側に突出している。したがって、開閉が必要なときにはいつでもハンドルを回して障子を開閉作動させることができる。
【特許文献１】特開２００１−９０４３５公報
【発明の開示】
【発明が解決しようとする課題】
【０００４】
しかしながら、操作用ハンドルは窓枠の開口部から突出するように設けられているため、窓のカーテンの開閉時に引っかかって操作の邪魔になったり、内観が損なわれたりするという問題があった。
【０００５】
本発明は上記問題点を解消し、窓のカーテンの開閉時の障害になることがなく、しかも内観を損なうことがない建具を提供することをその課題とする。
【課題を解決するための手段】
【０００６】
上記課題を解決するため、本発明に係る建具は、窓枠と、窓枠に障子支持装置を介して開閉作動可能に取り付けられた障子と、上記障子支持装置を作動させて上記障子を窓枠に対して揺動させて開閉させる開閉駆動装置と、開閉駆動装置を操作するハンドルとを備えた建具において、上記ハンドルを除く開閉駆動装置は、上記窓枠の縦枠又は横枠の内部に組み込まれていることを特徴とする。
【０００７】
なお、前記開閉駆動装置が組み込まれる窓枠の縦枠又は横枠は、前記開閉駆動装置を固定するベース枠と、上記開閉駆動装置を覆うカバー部材とから構成するのが好ましい。
【０００８】
前記ベース枠は金属製で、カバー部材は合成樹脂製であるのがよい。
【０００９】
また、前記開閉駆動装置は窓枠の縦枠又は横枠の室内側に張り出す張出部に組み込まれるとともに、上記張出部は、合成樹脂製の部材から構成するのが好ましい。
【００１０】
さらに、前記開閉駆動装置を操作するハンドルは、前記窓枠に重なるように折り畳み可能に設けるのがよい。
【発明の効果】
【００１１】
請求項１に係る発明によれば、開閉駆動装置は窓枠の内部に組み込まれており、外部への突出部分が無いので、すっきりとした見栄えのよい内観を得ることができる。
【００１２】
請求項２に係る発明によれば、初めに回動駆動装置をベース枠に固定しておき、その上からカバー部材により開閉駆動装置を覆えばよいので、作業が容易である。
【００１３】
請求項３に係る発明によれば、開閉駆動装置を金属製のベース枠に強固に固定できる。窓枠の室内側露出部分は合成樹脂製の部材からなるので、断熱性に優れた建具となる。
【００１４】
請求項４に係る発明によれば、開閉駆動装置は金属から構成されるので、合成樹脂製の張出部内に組み込むことによって、開閉駆動装置からの熱伝導を遮断することができる。
【００１５】
請求項５に係る発明によれば、ハンドルが不使用時には折り畳まれるので、室内側に突出することがなく、すっきりとした見栄えのよい内観を得ることができる。
【実施例】
【００１６】
図１は縦辷り出し窓の縦断面図であり、図２はその横断面図を示す。この縦辷り出し窓の窓枠は上下の横枠１、２と左右の縦枠３とを方形に枠組みしたもので、横枠１、２は屋外側の金属横枠１ａ、２ａと屋内側の樹脂横枠１ｂ、２ｂとを結合してなり、縦枠３は屋外側の金属縦枠３ａと屋内側の樹脂縦枠３ｂとを結合してなるものである。金属横枠１ａ、２ａと金属縦枠３ａとは方形に枠組みされて金属枠を構成し、樹脂横枠１ｂ、２ｂと樹脂縦枠３ｂも方形に枠組みされて合成樹脂製の樹脂枠を構成している。樹脂枠は窓枠の室内側に張り出す張出部を構成している。
【００１７】
金属枠１ａ、２ａ、３ａの屋内側には、それぞれ内方に開口するアリ溝形の取付溝４が形成されているとともに、障子の受け片５が形成されている。また、金属枠１ａ、２ａ、３ａの外方には窓台６の屋外側面に固定するための取付縁７ａが形成されている。
【００１８】
これに対して、樹脂枠１ｂ、２ｂ、３ｂには、上記取付溝４に係止する係止片８と、金属枠１ａ、２ａ、３ａの障子の受け片５の先端に係止する係止溝９が外方に開口形成されている。また、樹脂枠の屋内側には窓台６に固定するための取付縁７ｂが突出形成されている。そして、樹脂枠の係止片８を金属枠１ａ、２ａ、３ａの取付溝４に係止するとともに、樹脂枠１ｂ、２ｂ、３ｂの係止溝９を金属枠１ａ、２ａ、３ａの受け片５の先端に係止することによって、金属枠１ａ、２ａ、３ａに対して樹脂枠１ｂ、２ｂ、３ｂが一体的に結合している。
【００１９】
ところで、下部の樹脂横枠２ｂは板状の枠本体１０と、その上に固定されるカバー部材１１とから構成されている。カバー部材１１の長さおよび幅は枠本体１０の長さおよび幅と略同じ寸法を有し、屋外側には中空部１２が形成され、屋内側には傾斜部１３が形成されている。また、枠本体１０には係止片８の反対側に係止溝３９が形成され、下枠カバーの係止片４０が係止固定されるようになっている。
【００２０】
カバー部材１１の傾斜部１３の一部には図３のように取付穴１４が形成され、この取付穴１４には図４のように合成樹脂製の台座１５が固定されている。
【００２１】
上述のように、窓枠は屋外側には金属枠１ａ、２ａ、３ａが配置され、その屋内側には樹脂枠１ｂ、２ｂ、３ｂが張り出す構成であるから、断熱性に優れる。
【００２２】
窓枠の内側には障子１６が開閉作動可能に取り付けられている。障子１６は上下の横框１７、１８と左右の縦框１９とを方形に框組みしたもので、障子支持装置２１によって支持されている。
【００２３】
障子支持装置２１は、上記窓枠の上部横枠１の下面と上記障子１６の上部横框１７上面との間および窓枠の下部横枠２の上面と上記障子１６の下部横框１８の下面との間にそれぞれ配置されている。障子支持装置２１は図５に示されるような公知のフリクションステー（例えば特開平７−１９７７３２号公報、特開２００２−７０３９７公報等に開示）によって構成されている。障子１６は上下の障子支持装置２１によって支持されつつ、窓枠の外側に辷り出して開き作動するように構成されている。
【００２４】
次に、窓枠の下部横枠２と障子１６の下部横框１８とは開閉駆動装置２２を介して連結されている。
【００２５】
開閉駆動装置２２は、図６に示されるように、下部横枠２に固定されたオペレータ本体２３と下部横框１８に固定された連結アーム２４とから構成されている。オペレータ本体２３は、基板２５に円弧状のスパイラルギア２６を備えた揺動アーム２７とウォーム２８とを設けるとともに、基板２５の両端下部にはＺ字形の取付片２９を固定したものである。スパイラルギア２６とウォームギア２８とは噛み合い、連動するようになっている。そして、図７に示されるように、オペレータ本体２３の基板２５の取付片２９は、ベース枠となる下部金属横枠２ａの室内側上部に形成された取付溝４内に収納され、その溝底にネジ３０で固定されている。また、オペレータ本体２３は図１のように、上記枠本体１０に固定され、この枠本体１０とカバー部材１１との間に形成された空間部Ｓの内部に収納されている。上記開閉駆動装置はほとんど金属製部品から構成されている。
【００２６】
これに対し、連結アーム２４の一端は上記揺動アーム２７の先端２７ａに回動自在に連結され、他端は上記障子１６の下部横框１８の屋内側の側面に固定されたＬ字形の固定金具３１の水平部３１ａに回動自在に連結されている。揺動アーム２７と連結アーム２４と固定金具３１の水平部３１ａは、カバー部材１１の屋外側の側壁部１１ａを貫通している。
【００２７】
次に、オペレータ本体２３のウォームギア２８の回転軸３２の先端周面にはスプラインが切ってあり、上記回転軸３２には操作ハンドル３３が連結されている。操作ハンドル３３は図８に示されるように、上記回転軸３２と一体に結合された回転体３４と回転体３４に対して軸体３５を介して折畳み可能に設けられたハンドル本体３６と、ハンドル本体３６の内側に固定されたハンドル摘み３７とから構成されている。回転体３４とハンドル本体３６は合成樹脂によって構成すればよい。
【００２８】
操作ハンドル３３は図８および図９のようにカバー部材１１の台座１５上に重なるように折り畳み可能に配置されている。すなわち、上記回転軸３２は台座１５を貫通して表面に突出している。ハンドル本体３６は台座１５上に重なるように折り畳まれ、ハンドル折畳み時にハンドル摘み３７は台座１５に形成された穴３８からカバー部材１１の内側空間部Ｓに収まるように形成されている。
【００２９】
なお、上記構成の縦辷り出し窓を開くときは、図１０のように折り畳まれた操作ハンドル３３を起こし、ハンドル摘み３７を持ってハンドル本体３６を回転させる。これにより、回転軸３２とともにウォームギア２８が回転するので、スパイラルギア２６を有する揺動アーム２７が回転して連結アーム２４を作動させる。これにより、障子１６が動き出すが、同時にこれに連動して障子支持装置２１も作動し、フリクションステーが連結アーム２４と協働して障子１６を辷り出し作動させ、窓が開放される。窓を閉めるときは、ハンドルを逆方向に回転させればよく、閉じた後は、台座１５上に折り畳んでおけばよい。
【００３０】
上述のように、開閉駆動装置２２は窓枠の内部に組み込まれており、開閉駆動装置２２が外部に露出しないので、すっきりとした見栄えのよい内観を得ることができる。
【００３１】
また、窓閉鎖時には操作ハンドル３３は台座１５上に折り畳まれているので、操作ハンドル３３は屋内側に突出しないから、全体としてすっきりとした見栄えのよい内観を得ることができる。カーテンの開閉操作の邪魔になることはなく、また出っ張りがないので、怪我をすることもない。
【００３２】
特に、操作ハンドル３３は下部樹脂横枠２ｂの傾斜部１３に設けられているので、操作ハンドル３３も斜め上向きに配置されることになり、下部樹脂横枠２ｂの垂直部に設けられて水平に突出する場合に比較して、屋内側への突出度合いは小さくなる。
【００３３】
なお、上述の例は縦辷り出し窓の例であるが、同じ装置は横辷り出し窓においても適用することができる。
【００３４】
また、上述の例は金属（アルミニウム）と合成樹脂との複合枠体の例であるが、上記建具構成は、オールアルミサッシの場合にも適用することができることはもちろんである。
【産業上の利用可能性】
【００３５】
障子を支持する障子支持装置と、障子を窓枠に対して揺動させて開閉させる開閉駆動装置と、開閉駆動装置を操作するハンドルとを備えた構成の建具であれば、例えばルーバーを備えた建具などにも利用することができる。
【図面の簡単な説明】
【００３６】
【図１】縦辷り出し窓の縦断面図である。
【図２】縦辷り出し窓の横断面図である。
【図３】カバー部材の要部の斜視図である。
【図４】カバー部材に台座と操作ハンドルを取り付けた状態の斜視図である。
【図５】障子支持装置の取付状態を示す要部の斜視図である。
【図６】開閉駆動装置の要部の斜視図である。
【図７】上記縦辷り出し窓の横断面図である。
【図８】操作ハンドルの斜視図である。
【図９】操作ハンドルの折り畳み状態の側面図である。
【図１０】操作ハンドルの操作時の側面図である。
【符号の説明】
【００３７】
１０  枠本体  
１１  カバー部材
１６  障子
２１  障子支持装置
２２  開閉駆動装置
３３  操作ハンドル
【図１】
2006052531.tif 000003
【図２】
2006052531.tif 000004
【図３】
2006052531.tif 000005
【図４】
2006052531.tif 000006
【図５】
2006052531.tif 000007
【図６】
2006052531.tif 000008
【図７】
2006052531.tif 000009
【図８】
2006052531.tif 000010
【図９】
2006052531.tif 000011
【図１０】
2006052531.tif 000012